(57)【要約】【課題】  本発明は、従来、あらゆる物に対し、勝手に持っていかれたり、使われたりするのを防ぐ為に、暗証番号を付けたり、鍵をつけて持ち出されないようにする等の必要があった。また、複数の人数で管理している機器等は、現在誰がどこで使っているかを管理する為、なにかしらのデータを作成する必要があった。また、忘れ物は自分で確実に確認する必要を無くすことを目的としている。【解決手段】  本発明では、通知者を登録する手段、通知者に通知する手段、ゲート通過時及び又はエリア範囲内に存在する複数のタグ情報を読む手段、所有者を認識する手段（高さ認識、暗証番号入力・送信、顔認識、虹彩認識、音声認識、指紋認識、所有者の持ち物である複数のタグ認識等）、通知抑制手段、サーバー等のデータを更新する手段等を搭載している。【選択図】  図５
2006106935.tif 000002
【特許請求の範囲】
【請求項１】
通知者を登録する手段と、通知者に通知する手段と、ゲート通過時及び又はエリア範囲内に存在する複数のタグ情報を読む手段を有する事を特徴とするタグ情報通知システム。
【請求項２】
タグの組み合わせ及び又は所有者を認識する手段により、通知の抑制を行う事を特徴とする請求項１に記載のタグ情報通知システム。
【請求項３】
通知者とは、所有者及び所有者以外の通知者であることを特徴とする
請求項１に記載のタグ情報通知システム。
【請求項４】
通知者とは、サーバー等のデータも含むことを特徴とする
請求項１に記載のタグ情報通知システム。
【請求項５】
所有者を認識する手段とは、高さ認識、暗証番号入力・送信、顔認識、虹彩認識、音声認識、指紋認識、所有者の持ち物である複数のタグ認識等であることを特徴とする請求項２に記載のタグ情報通知システム。
【発明の詳細な説明】
【技術分野】
【０００１】
ゲート通過時及び又はエリア範囲内に存在する複数のタグ情報を読む手段を持つシステム。
【背景技術】
【０００２】
従来、あらゆる物に対し、勝手に持っていかれたり、使われたりするのを防ぐ為に、暗証番号を付けたり、鍵をつけて持ち出されないようにする等の必要があった。また、複数の人数で管理している機器等は、現在誰がどこで使っているかを管理する為、なにかしらのデータを作成する必要があった。また、忘れ物は自分で確実に確認する必要があった。先行技術としては、例えば、特許文献１参照。
【特許文献１】特開２００１−１０３０４８号公報
【発明の開示】
【発明が解決しようとする課題】
【０００３】
従来、あらゆる物に対し、勝手に持っていかれたり、使われたりするのを防ぐ為に、暗証番号を付けたり、鍵をつけて持ち出されないようにする等の必要があった。また、複数の人数で管理している機器等は、現在誰がどこで使っているかを管理する為、なにかしらのデータを作成する必要があった。また、忘れ物は自分で確実に確認する必要があった。
【０００４】
本発明は、通知者を登録する手段と、通知者に通知する手段と、ゲート通過時及び又はエリア範囲内に存在する複数のタグ情報を読む手段とを有する事を特徴とするタグ情報通知システムである。例えば、Aさん所有の携帯電話をAさんの持ち物であるであると登録し、通知者としてAさんを登録しておく。すると、ゲート通過時に、携帯のタグ情報が読み取られ、通知者に登録しておいたAさんに通知されるというシステムである。また、ある一定のエリア内に存在する複数のタグ情報を読み取ることにより、随時管理することも可能となるシステムである。また、あらゆる機器等において、そのまわりにゲート又はエリアを設けることにより、所有者以外の人に使わせないようにすることも可能となるシステムである。
【０００５】
また、タグの組み合わせにより、通知の抑制を行えることが可能となる。つまり、Aさんの持ち物として登録されている携帯・眼鏡・ノートPC等が同時に持ち出された時には、Aさんが運んでいると判断し、通知者であるAさんに通知を送らない等の処理も可能となる。また、抑制処理の中に、Aさんが必ず身に付けておくものを登録することにより、他者が持ち出したのに、Aさんに通知がいかないという誤認を防ぐことも可能となる。更に、高さ認識、暗証番号入力・送信、顔認識、虹彩認識、音声認識、指紋認識、複数のタグ情報認識等により、所有者本人が持ち出したと判断し、通知を抑制することも可能となる。また更に、あるゲート（例えば、玄関）を通過する時点で、登録されたタグ情報がない場合（忘れ物をしている場合）においては、忘れ物を通知することも可能となる。
【０００６】
また、複数のタグ情報を同時に読み取り、その情報を認識することにより、会社等で用いている、複数の人で所有する、デジタルカメラやノートPC等の場合は、共通のサーバーに現在誰が、どの機器を持っているかを更新することも可能となる。
【０００７】
このように、本発明は、ゲート通過時及び又はエリア範囲内に存在する複数のタグ情報を読む手段を持つことにより、タグ情報を読み取り、確実に通知者へと通知することが可能となる。そして、所有者を認識する手段を持つことにより、所有者が持ち出した場合には、通知をしないという抑制をすることも可能である。また更に、所有者の認識をすることによって、他者に勝手に持ち出されることを防ぐことが可能となる。また、あらゆる機器等において、そのまわりにゲート又はエリアを設けることにより、所有者以外の人に使わせないようにすることも可能となる。また、玄関などのゲートに情報を登録することにより、出かける際の忘れ物を防ぐことも可能となる。また、ある一定のエリア内に存在する複数のタグ情報を読み取ることにより、随時管理することも可能となるシステムである。
【０００８】
このことにより、上記問題を解決することを目的としている。
【課題を解決するための手段】
【０００９】
そこで、本発明では、通知者を登録する手段、通知者に通知する手段、ゲート通過時及び又はエリア範囲内に存在する複数のタグ情報を読む手段、所有者を認識する手段（高さ認識、暗証番号入力・送信、顔認識、虹彩認識、音声認識、指紋認識、所有者の持ち物である複数のタグ認識等）、通知抑制手段、サーバー等のデータを更新する手段を搭載することで、本発明は、ゲート通過時及び又はエリア範囲内に存在する複数のタグ情報を読む手段を持つことにより、タグ情報を読み取り、確実に通知者へと通知することが可能となる。そして、所有者を認識する手段を持つことにより、所有者が持ち出した場合には、通知をしないという抑制をすることも可能である。また更に、所有者の認識をすることによって、他者に勝手に持ち出されることを防ぐことが可能となる。また、あらゆる機器等において、そのまわりにゲート又はエリアを設けることにより、所有者以外の人に使わせないようにすることも可能となる。また、玄関などのゲートに情報を登録することにより、出かける際の忘れ物を防ぐことも可能となる。また、ある一定のエリア内に存在する複数のタグ情報を読み取ることにより、随時管理することも可能となる。
【発明の効果】
【００１０】
ゲート通過時及び又はエリア範囲内に存在する複数のタグ情報を読む手段を持つことにより、タグ情報を読み取り、確実に通知者へと通知することが可能となる。そして、所有者を認識する手段を持つことにより、所有者が持ち出した場合には、通知をしないという抑制をすることも可能である。また更に、所有者の認識をすることによって、他者に勝手に持ち出されることを防ぐことが可能となる。また、あらゆる機器等において、そのまわりにゲート又はエリアを設けることにより、所有者以外の人に使わせないようにすることも可能となる。また、玄関などのゲートに情報を登録することにより、出かける際の忘れ物を防ぐことも可能となる。また、ある一定のエリア内に存在する複数のタグ情報を読み取ることにより、随時管理することも可能となるという効果が得られる。
【発明を実施するための最良の形態】
【００１１】
（実施形態１）
図１〜３に本発明説明図を示し、本発明の内容を簡単に説明する。
【００１２】
図１は、所有者と持ち物の関係図を示している。個人所有の物であるが、常には持ち歩かないものとして、鞄・定期入れ・手帳・財布・携帯を上げた。これらは、通勤時や外出時に持ち歩くかもしれないが、例えば、オフィスに到着した後は机に置いたままだったりする。次に、常に持ち歩くものとして、会社で用いるIDカードと眼鏡を例にあげた。これらは、会社にいる間はいつも見につけているものであったり、生活で欠かさず身に付ける又は持ち歩くものである。また、所有者が複数いるものとして、部署で管理してあるノートPCやデジタルカメラ、デジタルビデオを例にあげている。これらは、所有者が複数いることから、誰が現在使用しているかや、部外者に持ち出されないように鍵をかける等の管理が必要となるものといえる。
【００１３】
本発明によると、これらの物についているタグ情報をあるゲート通過時及び又はある範囲においてのチェックを行うことにより、あらゆる情報を通信者に送るものである。つまり、この図にあるように、それぞれのタグ情報を登録することで可能となる。また、複数同時にタグ情報を読み込むことにより、個人の認識できるタグ情報と一緒に通知者のタグが含まれた場合は、送信を抑制する等の処理も簡単に行うことができる。
【００１４】
次に、図２において、家庭を例にあげて、説明を行う。
【００１５】
図２は、家と車を示している。例えば家の玄関、車の運転席の戸にゲートが備え付けられていたとする。家を出て、車で会社に向う場合を想定する。家を出る時、運転時に所持する物として、運転免許証と車の鍵がある。それに付け加えて、眼鏡をかけることが義務付けられている人の場合は、眼鏡が必要となる。この人の場合、これら３点のタグ情報を検知できなければ、忘れ物情報を通知するということが可能となる。又更に、いつも外出する時には、財布と携帯を持って出るよう、登録しておくことにより、これらの忘れ物も未然に防ぐことが簡単となる。この玄関のゲートとどうように、車の運転席にゲートを備え付けることにより、同様のチェックを行うことが可能となる。又更に、この車の保険が家族限定であったり、年齢制限があった場合においても、通知者に情報を通知することが可能となる。更には、例えば、鍵を挿入することができない等の特殊機能を用いることにより、運転できないような処理を行うことも可能となる。
【００１６】
次に、図３において、オフィス内のノートPCを例にあげて説明を行う。
【００１７】
オフィス内のノートPCの管理は難しい。例えば、簡単に誰かに持っていかれることが考えられる。また、勝手に電源を立ち上げられたり、中身を見られたりする可能性もある。これらは、セキュリティーをかけるたり、簡単に持ち出せないようにチェーンをかけたりされるが、なかなか難しい場合もある。本発明の場合においては、ノートPCがあるエリアを定期的又は随時チェックすることにより、誰が使っているか等のチェックが可能となる。つまり、PCの前に座っている人のIDカード情報を読み取る等により、簡単に行える。また、勝手に持ち出されるという心配も、ゲート通過時に所有者以外の人（所有者のタグ情報が同時に読み取れない場合）等においては、即座に通知者に通知することが可能となる。また、更に扉と連動することにより、問題があると判断した場合は、戸を開けない（部屋から出さない）等の処理も簡単に行える。
【００１８】
図４に、本発明の構成図を示す。
【００１９】
本発明のプログラムはROMに入っている。ROMからプログラムを呼び出し、作業を行う。
【００２０】
登録手段として、通知者登録手段、所有者登録手段、タグ情報登録手段（ゲート・エリア・関連タグ等）を搭載している。また、通知手段として、通知内容作成手段と送信手段を持つ。更に、より正確に通信や通信の抑制を行う為に、所有者認識手段として、高さ認識手段、暗証番号入力・送信手段、顔認識手段、虹彩認識手段、音声認識手段、指紋認識手段等により、行うことが可能となる。また、タグ情報読み取り手段として、タグ情報入手手段は、ゲート通過タグ検知手段とエリア範囲内タグ検知手段を持つ、更に、タグ情報の内容把握手段として、タグ情報読み取り手段とタグ情報解読手段を持つ、更に、複数の所有者で管理しているノートPCやデジタルカメラ等を管理するデータへのデータ更新手段を持つことにより、瞬時にデータ更新が可能となる。これらを搭載することにより、本発明のタグ情報による管理を行うことが可能となる。
【００２１】
実施例についてはフローチャートを用いて説明する。
【００２２】
図５に本発明の概略フローチャートを示す。
【００２３】
まず、事前に各種登録(2-1)を行う。次に、タグ情報を検知したかの判断(2-2)を行う。ここで、タグ情報を検知しない間（NO）の場合は、ゲート及び又はエリアにおいての検知を引き続き行う。ここでタグ情報を検知した（YES）の場合は、タグ情報入手・解読処理を行っていく。ここで、まず、タグ情報の取り込み(2-3)を行う。そして、このタグ情報により、所有者確認(2-4)、通知者確認(2-5)、抑制処理確認(2-6)等を行っていく。そして、これらの情報にしたがって、通知者に情報を送信する。もちろん、ここで、所有者が通知者であり、所有者が持ち出したと認識された場合は、抑制処理に従い通知しない等の処理も行うよう制御することが可能となる。また、もちろん、ここで複数の人が所有する機器であった場合等は、(2-8)において、データの更新処理も行うことが可能となる。
【００２４】
図６に各種登録処理の概略フローチャートを示す。
【００２５】
まず、タグ登録・所有者登録処理(3-1)を行い、どの機器又は物が誰のものであるか等の登録を行う。次に、そのタグがゲート通過時及び又はエリア範囲内において何かあった場合に通知する、通知者の登録を行う。ここで、通知者とは、所有者であってもかまわないし、所有者だけでなく、その上の管理者を含んでもかまわないし、サーバー等に管理されるデータへの更新であってもかまわない。次に、所有者認識用登録処理(3-3)を行っていく。ここで、まず、名前の登録(3-4)を行う。ここで、その名前の人を認識する為にもちいる認識手段の登録を行っていく。これは、(3-5)に示した様な、身長等を認識する高さ登録、携帯による赤外線通信やボタン入力による暗証番号登録、顔認識、虹彩認識、音声認識、指紋認識等を行う。これらの登録を行うことにより、所有者の認識が確実となり、通信の抑制等も簡単に行うことが可能となる。またここで、会社等で用いられている、IDカード等のカード読み取り手段を入れることにより、同様の効果を得ることも可能となる。これらの登録を行うことにより、通知抑制登録(3-6)が簡単に行える。また、通知抑制は、複数のタグ情報を読み取ることのより、タグの組み合わせ等によっても、抑制が行える。つまり、所有者がはっきりしているものが複数含まれた場合には、所有者自身が持ち出していると判断できるからである。これらの組み合わせに、所有者が確実に持ち歩くものを入れることで、より正確に抑制が行えるといえる。
【００２６】
これらのように、本発明を用いることにより、ゲート通過時及び又はエリア範囲内に存在する複数のタグ情報を読む手段を持つことにより、タグ情報を読み取り、確実に通知者へと通知することが可能となる。そして、所有者を認識する手段を持つことにより、所有者が持ち出した場合には、通知をしないという抑制をすることも可能である。また更に、所有者の認識をすることによって、他者に勝手に持ち出されることを防ぐことが可能となる。また、あらゆる機器等において、そのまわりにゲート又はエリアを設けることにより、所有者以外の人に使わせないようにすることも可能となる。また、玄関などのゲートに情報を登録することにより、出かける際の忘れ物を防ぐことも可能となる。また、ある一定のエリア内に存在する複数のタグ情報を読み取ることにより、随時管理することも可能となるシステムである。
【図面の簡単な説明】
【００２７】
【図１】本発明説明図（１）。
【図２】本発明説明図（２）。
【図３】本発明説明図（３）。
【図４】本発明の構成図。
【図５】本発明による概略フローチャート。
【図６】各種登録の概略フローチャート。
【符号の説明】
【００２８】
１０１  ブロック図（例）
【図１】
2006106935.tif 000003
【図２】
2006106935.tif 000004
【図３】
2006106935.tif 000005
【図４】
2006106935.tif 000006
【図５】
2006106935.tif 000007
【図６】
2006106935.tif 000008